(57)【要約】【課題】  遊技情報をユーザに供給することによりユーザに対するサービスの向上を図るとともに、遊技店を利用したユーザの遊技店に対する要望、感想等を取得することにより、ユーザが希望するサービス内容を知るようにする。【解決手段】専用サーバ１０は、遊技店端末２０から受信した遊技情報を記憶手段に登録する。そして、専用サーバ１０は、遊技店を利用しようとするユーザ端末５０からインターネット６０を介して受信した遊技情報の閲覧要求に対して、閲覧要求された遊技情報をユーザ端末５０にインターネット６０を介して送信する。また、専用サーバ１０は、ユーザ端末５０からインターネット６０を介して受信した遊技店に対する要望、感想等の投稿内容を、他のユーザから閲覧可能に電子掲示板に掲示する。【選択図】図１
2007267959.tif 000002
【特許請求の範囲】
【請求項１】
ユーザに利用される遊技場に設置されている遊技台の遊技情報を取得しユーザ端末にインターネットを介して供給する遊技情報供給装置において、
前記遊技情報を記憶する遊技情報記憶手段と、前記遊技場に設置されている遊技場端末から受信した前記遊技情報を前記遊技情報記憶手段に登録する遊技情報登録手段と、前記遊技場を利用しようとするユーザ端末から受信した前記遊技情報の閲覧要求に対して、前記遊技情報記憶手段から前記閲覧要求された遊技情報を前記ユーザ端末に送信する遊技情報供給手段とを備え、
前記ユーザ端末から受信した遊技場に対する要望や感想等の投稿内容を、他のユーザの閲覧が可能な状態で掲示する投稿内容掲示手段を設けたことを特徴とする遊技情報供給装置。
【請求項２】
前記請求項１記載の遊技情報供給置において、
前記遊技情報記憶手段に、前記遊技場が実施するイベント情報を記憶するイベント情報記憶手段と、前記遊技場端末から前記インターネットを介して受信した前記イベント情報を前記イベント情報記憶手段に登録するイベント情報登録手段とを併設し、
前記ユーザ端末から受信した前記イベント情報の閲覧要求に対して当該イベント情報を前記イベント情報記憶手段から取り出して対応する前記ユーザ端末に送信するイベント情報送信手段とを備えたことを特徴とする遊技情報供給装置。
【請求項３】
前記請求項１又は２記載の遊技情報供給装置において、
前記ユーザ端末から閲覧要求された前記遊技情報には、前記遊技場に対応して指定された期間における遊技情報又は前記遊技場について遊技台の機種名ごとに示された遊技情報を含み、
前記遊技情報送信手段は、前記遊技場に対応して指定された期間における遊技情報又は前記遊技台の機種名ごとに示された遊技情報を対応する前記ユーザ端末に送信する機能を備えていることを特徴とした遊技情報供給装置。
【請求項４】
前記請求項３に記載の遊技情報供給装置において、
前記遊技情報記憶手段に、前記遊技場を識別する遊技場識別情報と，前記遊技場について遊技台の機種名ごとに示された遊技情報とを，前記ユーザ端末からの閲覧要求された回数と対にして記憶する閲覧回数記憶手段を併設し、
前記ユーザ端末から閲覧要求された前記遊技情報が、前記遊技場について遊技台の機種名ごとに示された遊技情報の場合には、前記閲覧回数記憶に記憶されている当該遊技場識別情報に対応する閲覧回数に１を加算する加算手段を装備すると共に、
前記閲覧回数記憶手段に記憶されている前記遊技場識別情報と前記閲覧回数とを対にしてこれを当該遊技場に予め装備された遊技情報送信装置の使用料算出情報として予め別に装備された使用料算出装置に送信する使用料算出情報送信手段を装備したことを特徴とする遊技情報供給装置。
【請求項５】
前記請求項４に記載の遊技情報供給装置において、
前記閲覧回数記憶手段は、前記遊技場識別情報と当該遊技場の前記遊技情報について出された前記ユーザ端末からの閲覧要求及び前記イベント情報について前記ユーザ端末から閲覧要求された回数とを対にして記憶しており、
前記加算手段は、前記ユーザ端末から前記イベント情報が閲覧要求された場合には、前記閲覧回数記憶手段に記憶されている前記遊技場識別情報に対応する閲覧回数に１を加算する加算機能を有し、
前記使用料算出情報送信手段は、前記閲覧回数記憶手段に記憶されている前記遊技場と前記閲覧回数とを対にして当該遊技場に割り当てられている遊技情報送信装置の使用料算出情報として、前記使用料算出装置に送信することを特徴とした遊技情報供給装置。
【請求項６】
ユーザに利用される遊技場に設置されている遊技台の遊技の内容を示す遊技情報を取得しユーザ端末にインターネットを介して供給する遊技情報供給方法において、
前記遊技場に設置されている遊技場端末から受信したイベント情報を含む前記遊技情報を予め装備した遊技情報記憶手段に登録する第１の工程と、
遊技場を利用しようとするユーザ端末からの前記遊技情報の閲覧要求に対して、前記遊技情報憶手段から当該閲覧要求された前記遊技情報を前記ユーザ端末に送信する第２の工程と、
前記ユーザ端末から受信した遊技場に対する要望や感想等の投稿内容を、他のユーザからの検索および閲覧が可能に掲示する第３の工程とを備えたことを特徴とする遊技情報供給方法。
【請求項７】
前記請求項６に記載の遊技情報供給方法において、
前記第１の工程で登録する前記遊技情報には、前記遊技場に対応して指定された期間における遊技情報又は当該遊技場についての遊技台の機種名ごとに示された遊技情報を含むことを特徴とした遊技情報供給方法。
【請求項８】
請求項７に記載の遊技情報供給方法において、
前記遊技情報記憶手段に、前記遊技場を識別する遊技店識別情報と前記遊技場について遊技台の機種名ごとに示された遊技情報について前記ユーザ端末からの閲覧要求された回数とを対にして記憶する閲覧要求回数記憶工程と、
前記ユーザ端末から閲覧要求された前記遊技情報が、前記遊技場について遊技台の機種名ごとに示された遊技情報の場合には、前記記憶手段に記憶されている当該遊技店識別情報に対応する閲覧回数に１を加算して記憶する閲覧回数加算工程と、
前記遊技情報記憶手段に記憶されている前記遊技場識別情報と前記閲覧回数とを対にして、当該遊技場に割り当てられる当該遊技情報送信装置の使用料算出情報として、インターネットを介して予め装備した使用料算出装置に送信する使用料算出情報送信工程とを備えたことを特徴とする遊技情報供給方法。
【請求項９】
ユーザに利用される遊技場に設置されている遊技台の遊技の内容を示す遊技情報をユーザ端末にインターネットを介して供給する手順を特定した遊技情報供給プログラムにおいて、
前記遊技場に設置されている遊技店端末から受信した前記遊技情報を遊技情報記憶手段に登録する機能、
遊技店を利用しようとするユーザ端末から前記インターネットを介して受信した前記遊技情報の閲覧要求に対して、前記遊技情報憶手段から前記閲覧要求された前記遊技情報を前記ユーザ端末に前記インターネットを介して送信する機能、
前記ユーザ端末から前記インターネットを介して受信した遊技場に対する要望や感想等の投稿内容を他のユーザから検索および閲覧が可能に予め装備した投稿内容掲示手段に掲示する手順、
をコンピュータに実施させるようにしたことを特徴とする遊技情報供給プログラム。
【発明の詳細な説明】
【技術分野】
【０００１】
本発明は、ユーザに利用される遊技場に設置されている遊技台の遊技の内容を示す遊技情報をユーザ端末にインターネットを介して供給する遊技情報供給装置、遊技情報供給方法、及び遊技情報供給プログラムに関する。
【背景技術】
【０００２】
従来、遊技施設におけるイベント情報の配信は、紙媒体による広告、店頭での告知、遊技施設毎に作成したホームページによる告知、遊技施設毎にユーザー登録したユーザーへの電子メール等の配信、等で行われていた。しかしながら、これらの方法を取る場合、遊技施設側は様々な広告媒体に対して個別に費用が発生する。
一方、遊技者側においては、紙媒体による広告の配布対象からはずれると、店頭に出向かないと近々のイベント情報が分からないし、又、遊技施設毎のホームページへの個別アクセスは手間がかかる。更に、遊技者にとって、ホームページの無い遊技施設は選択対象からはずれてしまい、更に遊技施設へのユーザー登録をしていなければ情報配信されない等々、様々な要因で、遊技施設を選択する選択肢が制約されていた。
【０００３】
又、これらの状況を改善するための情報の収集および配信を目的としたシステムにおいても、多くは遊技施設から遊技者側への一方通行の情報配信のシステムとなっており、遊技者からの要望、感想が遊技施設側に示される様なシステムとはなっていない。
【０００４】
従来から、同一サイトにおいて複数の競技場に関する情報の提供を行う場合において、アクセス利用者が容易に所望の遊技場に関する情報を入手することが可能な遊技場情報の提供方法が提案されている（例えば、特許文献１参照）。また、遊技場舗の内外を問わず、リアルタイムに各遊技機のデータ情報を提供する遊技機データ情報提供システムが提案されている（例えば、特許文献２参照）。更に、ホームページを操作する専門の技術者を雇用することなく、簡単な操作方法により遊技施設ごとに編集・更新・作成ができ、従来では告知できなかった各遊技施設の詳細情報をリアルタイムに公開する情報管理システムが提案されている（例えば、特許文献３参照）。
【特許文献１】特開２００２−９２２４５号公報
【特許文献２】特開２００２−１０２５２１号公報
【特許文献３】特開２００２−１３３２６２号公報
【発明の開示】
【発明が解決しようとする課題】
【０００５】
しかしながら、特許文献１に記載された遊技場情報の提供方法、特許文献２に記載された遊技機データ情報提供システム、及び特許文献３に記載された情報管理システムでは、遊技場における遊技情報をユーザが取得することができるが、遊技場を利用したユーザの遊技場に対する要望、感想等を取得する技術が提案されていない。このため、遊技場においてユーザが希望するサービスがどのようなものであるか知ることができないという不都合が生じていた。
【０００６】
本発明では、かかる従来例の有する不都合を改善し、遊技場の遊技情報をユーザに供給することによりユーザに対するサービスの向上を図ると共に、遊技場を利用したユーザの遊技場に対する要望、感想等を取得することにより、ユーザが希望するサービス内容を知ることが可能な、遊技情報供給装置、遊技情報供給方法、及び遊技情報供給プログラムを提供することを、その目的とする。
【課題を解決するための手段】
【０００７】
上記目的を達成するため、本発明にかかる遊技情報供給装置は、ユーザに利用される遊技場に設置されている遊技台の遊技情報を取得しユーザ端末にインターネットを介して供給するもので、前記遊技情報を記憶する遊技情報記憶手段と、前記遊技場に設置されている遊技場端末から受信した前記遊技情報を前記遊技情報記憶手段に登録する遊技情報登録手段と、前記遊技場を利用しようとするユーザ端末から受信した前記遊技情報の閲覧要求に対して前記遊技情報記憶手段から前記閲覧要求された遊技情報を前記ユーザ端末に送信する遊技情報供給手段とを備えている。そして、前述したユーザ端末から受信した遊技場に対する要望や感想等の投稿内容を、他のユーザの閲覧が可能な状態で掲示する投稿内容掲示手段を設けたことを特徴とする（請求項１）。
【０００８】
この構成によれば、遊技情報記憶手段に遊技情報が登録され、遊技情報供給手段により遊技情報が閲覧要求したユーザ端末に送信されるので、遊技情報をインターネット６０を介して不特定多数のユーザに提供することができる。また、この構成によれば、投稿内容投稿内容掲示手段により、ユーザ端末から受信した遊技場に対する要望、感想等の投稿内容が他のユーザから閲覧可能に掲示されるので、ユーザが希望するサービス内容を知ることができる。
【０００９】
ここで、前述した遊技情報記憶手段に、前記遊技場が実施するイベント情報を記憶するイベント情報記憶手段と、前記遊技場端末から前記インターネットを介して受信した前記イベント情報を前記イベント情報記憶手段に登録するイベント情報登録手段とを併設すると共に、前記ユーザ端末から受信した前記イベント情報の閲覧要求に対して当該イベント情報を前記イベント情報記憶手段から取り出して対応する前記ユーザ端末に送信するイベント情報送信手段とを備えた構成としてもよい（請求項２）。
【００１０】
この構成によれば、イベント情報記憶手段にイベント情報が登録され、イベント情報送信手段によりイベント情報がインターネットを介して閲覧要求したユーザ端末に送信されるので、ユーザがイベント情報を簡単に取得することができる。
【００１１】
又、前述したユーザ端末から閲覧要求された前記遊技情報には、前記遊技場に対応して指定された期間における遊技情報又は前記遊技場について遊技台の機種名ごとに示された遊技情報を含み、前記遊技情報送信手段は、前記遊技場に対応して指定された期間における遊技情報又は前記遊技台の機種名ごとに示された遊技情報を対応する前記ユーザ端末に送信する機能を備えた構成としてもよい（請求項３）。
【００１２】
又、前述した遊技情報記憶手段に、前記遊技場を識別する遊技場識別情報と，前記遊技場について遊技台の機種名ごとに示された遊技情報とを，前記ユーザ端末からの閲覧要求された回数と対にして記憶する閲覧回数記憶手段を併設し、前記ユーザ端末から閲覧要求された前記遊技情報が前記遊技場について遊技台の機種名ごとに示された遊技情報の場合には、前記閲覧回数記憶に記憶されている当該遊技場識別情報に対応する閲覧回数に１を加算する加算手段を装備する。そして、前述した閲覧回数記憶手段に記憶されている前記遊技場識別情報と前記閲覧回数とを対にしてこれを当該遊技場に予め装備された遊技情報送信装置の使用料算出情報として予め別に装備された使用料算出装置に送信する使用料算出情報送信手段を装備した構成としてもよい（請求項４）。
【００１３】
この構成によれば、閲覧回数記憶手段が遊技情報についてユーザ端末からの閲覧要求された回数を遊技場ごとに記憶しており、使用料算出情報送信手段が、この回数を遊技場に割り当てられる遊技情報供給装置の使用料を算出する情報として、インターネットを介して使用料算出装置に送信するので、各遊技場から使用料を客観性あるものとして有効に請求することができるという利点がある。
【００１４】
ここで、前述した閲覧回数記憶手段は、前記遊技場識別情報と当該遊技場の前記遊技情報について出された前記ユーザ端末からの閲覧要求及び前記イベント情報について前記ユーザ端末から閲覧要求された回数とを対にして記憶しており、前記加算手段は、ユーザ端末から前記イベント情報が閲覧要求された場合に前記閲覧回数記憶手段に記憶されている前記遊技場識別情報に対応する閲覧回数に１を加算する加算機能を備えた構成とする。そして、前述した使用料算出情報送信手段は、前記閲覧回数記憶手段に記憶されている前記遊技場と前記閲覧回数とを対にして当該遊技場に割り当てられている遊技情報送信装置の使用料算出情報として、前記使用料算出装置に送信するように構成してもよい（請求項５）。
【００１５】
このようにすると、閲覧回数記憶手段が遊技情報及びイベント情報についてユーザ端末からの閲覧要求された回数を遊技場ごとに記憶しており、使用料算出情報送信手段が、この回数を遊技場に割り当てられる遊技情報供給装置の使用料を算出する情報として、インターネットを介して使用料算出装置に送信するので、各遊技場から使用料を請求することができる。
【００１６】
本発明にかかる遊技情報供給方法では、ユーザに利用される遊技場に設置されている遊技台の遊技の内容を示す遊技情報を取得しユーザ端末にインターネットを介して供給するもので、前述した遊技場に設置されている遊技場端末から受信したイベント情報を含む前記遊技情報を予め装備した遊技情報記憶手段に登録する第１の工程と、遊技場を利用しようとするユーザ端末からの前記遊技情報の閲覧要求に対して、前記遊技情報憶手段から当該閲覧要求された前記遊技情報を前記ユーザ端末に送信する第２の工程と、前記ユーザ端末から受信した遊技場に対する要望や感想等の投稿内容を、他のユーザからの検索および閲覧が可能に掲示する第３の工程とを備えたことを特徴とする（請求項６）。
【００１７】
このため、これによると、遊技情報をインターネットを介して不特定多数のユーザに提供することができるばかりでなく、ユーザ端末から受信した遊技場に対する要望、感想等の投稿内容が他のユーザからも閲覧可能に掲示されるので、ユーザが希望するサービス内容を遊技場側は勿論のこと、他のユーザも知ることができる。
【００１８】
ここで、前述した第１の工程で登録する前記遊技情報には、前記遊技場に対応して指定された期間における遊技情報又は当該遊技場についての遊技台の機種名ごとに示された遊技情報を含むように構成してもよい（請求項７）。
【００１９】
又、前述した第２工程の後に、前記遊技情報記憶手段に前記遊技場を識別する遊技場識別情報と前記遊技場について遊技台の機種名ごとに示された遊技情報について前記ユーザ端末からの閲覧要求された回数とを対にして記憶する閲覧要求回数記憶工程と、前記ユーザ端末から閲覧要求された前記遊技情報が、前記遊技場について遊技台の機種名ごとに示された遊技情報の場合には、前記記憶手段に記憶されている当該遊技場識別情報に対応する閲覧回数に１を加算して記憶する閲覧回数加算工程と、前記遊技情報記憶手段に記憶されている前記遊技場識別情報と前記閲覧回数とを対にして、当該遊技場に割り当てられる当該遊技情報送信装置の使用料算出情報として、インターネットを介して予め装備した使用料算出装置に送信する使用料算出情報送信工程とを備えた構成としてもよい（請求項８）。
【００２０】
このようにすると、遊技情報記憶手段に遊技情報についてユーザ端末からの閲覧要求された回数が遊技場ごとに記憶されており、この回数を遊技場に割り当てられる遊技情報供給装置の使用料を算出する情報として、インターネットを介して使用料算出装置に送信するので、各遊技場から使用料を効率良く請求することができる。
【００２１】
又、本発明にかかる遊技情報供給プログラムにあっては、ユーザに利用される遊技場に設置されている遊技台の遊技の内容を示す遊技情報をユーザ端末にインターネットを介して供給する手順を特定したプログラムであって、前記遊技場に設置されている遊技場端末から受信した前記遊技情報を遊技情報記憶手段に登録する機能、遊技場を利用しようとするユーザ端末から前記インターネットを介して受信した前記遊技情報の閲覧要求に対して、前記遊技情報憶手段から前記閲覧要求された前記遊技情報を前記ユーザ端末に前記インターネットを介して送信する機能、および前記ユーザ端末から前記インターネットを介して受信した遊技場に対する要望や感想等の投稿内容を他のユーザから検索および閲覧が可能に予め装備した投稿内容掲示手段に掲示する手順、をコンピュータに実施させるようにしたことを特徴とする（請求項９）。
【００２２】
このようにすると、遊技情報が閲覧要求したユーザ端末に送信されるので、遊技情報をインターネットを介して不特定多数のユーザに提供することができる。また、この構成によれば、ユーザ端末から受信した遊技場に対する要望、感想等の投稿内容が他のユーザから閲覧可能に掲示されるので、ユーザが希望するサービス内容を知ることができる。
【発明の効果】
【００２３】
以上のように、本発明によると、遊技場の遊技情報をユーザに供給することによりユーザに対するサービスの向上を図るとともに、遊技場を利用したユーザの遊技場に対する要望、感想等を取得することにより、ユーザが希望するサービス内容を知ることができる。という従来にない優れた遊技情報供給装置、遊技情報供給方法、及び遊技情報供給プログラムを提供することができる。
【発明を実施するための最良の形態】
【００２４】
以下、本発明の実施形態を図面を参照しながら説明する。
【００２５】
この実施形態の説明に際し、最初に全体的な内容を説明し、その後に具体的な構成およびその動作等を説明する。
まず、図１において、符号１０は専用サーバを示す。この専用サーバ１０は、遊技施設情報の集約と、遊技者（ユーザ）投稿データを集約する機能を有する。又、符号２００は遊技施設側である遊技店（遊技場）を示す。この遊技店（遊技場）２００は、遊技施設情報や、遊技台情報や、イベント情報を提供する機能を有する。
更に、符号４００は代理店を示す。この代理店４００は、遊技施設側である遊技店（遊技場）にシステム使用料（広告料）を支払う代理店としての性質を備えている。
【００２６】
又、符号３００はシステム全体の運用を管理するシステム運用管理部を示す。このシステム運用管理部３００は、後述するようにシステム使用料請求サーバ３０を備え、前述した専用サーバ１０の運用・管理や、遊技施設側２００に対して代理店４００を経由して、システム使用料（広告料）の請求を行う機能を備えている。
ここで、符号６０は通信網として一般化したインターネット通信網を示し、符号５０はは一般ユーザ側のユーザ端末を示す。このユーザ端末５０は、遊技施設側である遊技店（遊技場）２００が提供し専用サーバ１０に公開している遊技情報を情報を、インターネット通信網６０を介して前記専用サーバ１０にアクセスする事で、閲覧（若しくは後述する要望事項の投稿）を成し得るようになっている。
【００２７】
又、後述する登録画面は、システム運用管理部３００が提供し遊技場（遊技店）２００が専用サーバ１０に情報を登録する際に使用する。更に、後述する閲覧画面は、専用サーバ１０に登録された遊技情報又は遊技場情報を、一般ユーザがユーザ端末５０を介して閲覧した際に表示されるものである。又、後述する投稿画面は、専用サーバ１０に用意された各遊戯施設毎の投稿欄を一般ユーザがユーザ端末５０を介して投稿／閲覧した際に表示されるものである。
【００２８】
上述したシステムの各構成部は、以下に示す機能を備えている。
まず、システム運用管理部３００は、遊技店（遊技施設側）２００から提供される施設情報やイベント情報のデータを蓄える専用サーバ１０と、この専用サーバ１０に遊技店（遊技施設側）２００が情報を登録する際に許認可を行う為の許認可システムと、専用サーバ１０に遊技店（遊技施設側）２００が情報を登録する際に使用する登録画面情報とを提供する機能を備えている。
又、このシステム運用管理部３００は、一般ユーザがユーザ端末５０を介して遊技施設に対する要望や感想を投稿した内容をデータとして蓄える専用サーバ１０と、前述した遊技施設に対する要望や感想を投稿／閲覧する際に使用する情報登録画面とを提供する機能を備えている。
【００２９】
又、遊技店（遊技施設側）２００は、システム運用管理部３００との間で専用サーバ１０を使用する契約を結ぶと共に、代理店４００を介してシステム運用管理部３００に使用料を支払う事で、専用サーバ１０に対する情報登録、一般ユーザからの投稿内容を閲覧又は削除を行うための許可を取得する機能を備えている。
更に、上記許可を得た後に、各遊技店（遊技施設側）２００は、当該許可された機能、即ちインターネット接続が可能なユーザ端末（市販のパソコン又は携帯端末）５０を使用して、後述する登録画面で示される内容の情報を登録する事で、容易に且つ任意に当該遊技店（遊技施設側）２００の遊技施設の施設情報、遊技台情報、イベント情報等を登録することがけいる。
【００３０】
又、前述したシステム運用管理部３００は、各遊技店（遊技施設側）２００が登録した情報を施設毎や、市町村単位の地域毎に分類し、一般ユーザに提供出来る情報に変換するように機能する。そして、一般ユーザは、インターネット接続が可能なユーザ端末５０を使用して、専用サーバ１０に有料（又は無料）で接続し、後述する閲覧画面で示される画面を通して、必要とする遊技店（遊技施設側）２００の施設情報、遊技台情報、イベント情報を取得する。同様に、一般ユーザは、専用サーバ（Ａ）に接続し、後述する投稿画面を通して遊技施設に対する要望や感想を投稿したり、他の遊技者の投稿内容を閲覧して、遊技施設を選択する際の一助とし得るようになっている。
【００３１】
以下、これを更に具体的に説明する。
【００３２】
図１において、本実施形態における遊技情報管理システムは、遊技施設を備えた遊技場である各遊技店２００の遊技情報及びイベント情報等を管理すると共に、一般ユーザに遊技情報及びイベント情報を供給する専用サーバ１０と、遊技店２００に設置されている端末（遊技場端末又は遊技店端末のこと）２０と、専用サーバ１０の運用・管理を行うとともに遊技店２０に対してこのシステムの使用料を請求するシステム使用料請求サーバ３０を内蔵したシステム運用管理部３００と、システム使用料を遊技店２００から徴収する代理店４００に設置されている代理店端末４０と、遊技情報とイベント情報を専用サーバ１０から閲覧するユーザの端末（以下、ユーザ端末という）５０とを備え、これらサーバ１０，３０、及び端末２０，４０がインターネット６０に接続されて構築されている。
【００３３】
ここで、システム運用管理部３００は、前述したように、システム使用料請求サーバ３０を直接管理すると共に前述した各遊技店２００，代理店４００、および専用サーバ１０の全体の運用を管理する機能を備えている。
又、上述した遊技情報は、集客に必要とされる遊技店２００に設置されている遊技台（機器）の遊技内容を示す情報であり、イベント情報とは、遊技店２００が実施するイベントの内容が示された情報である。又、遊技店情報（遊技場情報）は複数の遊技店（遊技場）にかかる情報である。
【００３４】
専用サーバ１０は、図２に示すように、制御部１１と、記憶部１２と、送受信部１３とを備えて構成されている。制御部１１及び送受信部１３は、ＣＰＵ（図示せず）が記憶部１２に有する制御プログラム（図示せず）を実行することにより生成される。
【００３５】
制御部１１は、後述する動作説明において説明したような各種処理機能を有している。特に、制御部１１は、遊技店２００における各種遊技情報を登録する機能（遊技情報登録手段１１ａ）と、遊技店２００を利用しようとするユーザ端末５０からインターネット６０を介して受信した遊技情報の閲覧要求に対して閲覧要求された遊技情報をユーザ端末６０にインターネット６０を介して送信する機能（遊技情報供給手段１１ｂ）とを備えている。また、制御部１１は、ユーザ端末５０からインターネット６０を介して受信した遊技店２００に対する要望、感想等の投稿内容を、他のユーザから閲覧可能に電子掲示板１２２に掲示する機能（投稿内容掲示手段１１ｃ）を備えている。
【００３６】
更に、制御部１１は、遊技店端末２００からインターネット６０を介して受信したイベント情報をイベント情報登録ＤＢ１２６に登録する機能（イベント情報登録手段１１ｄ）を有し、ユーザ端末５０から受信したイベント情報の閲覧要求に対して、閲覧要求されたイベント情報をユーザ端末５０にインターネット６０を介して送信する機能（イベント情報送信手段１１ｅ）を備えている。
また、制御部１１は、ユーザ端末から遊技情報及びイベント情報が閲覧要求された場合には、後述するアクセス状況記録ファイルに記憶されている該当する遊技店の閲覧回数に１を加算する機能（加算手段１１ｆ）を有し、この閲覧回数をこのシステムの使用料を算出する情報として、インターネット６０を介してシステム使用料算出サーバ３０に送信する機能（使用料算出情報送信手段１１ｇ）を備えている。
【００３７】
記憶部１２は、Ｗｅｂページ格納ファイル１２１と、電子掲示板１２２と、遊技情報登録ＤＢ（ＤＢ：データベースのこと、以下同じ）１２３と、機種名別情報登録ＤＢ１２４と、期間別情報登録ＤＢ１２５と、イベント情報登録ＤＢ１２６と、アクセス状況記録ファイル１２７と、認証ファイル１２８とを有する。
【００３８】
Ｗｅｂページ格納ファイル１２１は、この遊技情報供給システムを紹介するためのＨＴＭＬ（Hyper Text Markup Language) で記述されたホームページ（トップページ）（図示せず）、遊技店管理者が遊技情報を登録し、また、ユーザが遊技情報を閲覧するために必要となるＨＴＭＬで記述されたＷｅｂページ、遊技店管理者が遊技情報を登録するためのＨＴＭＬで記述されたＷｅｂページ、ユーザが遊技情報を閲覧するためのＨＴＭＬで記述されたＷｅｂページを格納する。
【００３９】
遊技店管理者が遊技情報を登録し、また、ユーザが遊技情報を閲覧するために必要となるＷｅｂページは、図３に示す表示画面選択画面１２１ａを表示させる表示画面選択画面ページである。遊技情報を登録するためのＷｅｂページには、図４（ａ）に示す機種名別登録画面１２１ｂを表示させる機種名別登録画面ページ、図４（ｂ）に示す期間別登録画面１２１ｃを表示させる期間別登録画面ページ、及び、図５に示す遊技店が行うイベント情報登録画面１２１ｄを表示させるイベント情報登録画面ページがある。
【００４０】
ユーザが遊技情報を閲覧するためのＷｅｂページには、図６（ａ）に示す店名別閲覧画１２１ｅを表示させる面店名別閲覧画面ページ、図６（ｂ）に示すように機種名別閲覧画面１２１ｆを表示させる機種名別閲覧画面ページ、及び、図７（ａ）に示すイベント情報画面１２１ｇを表示させるイベント情報閲覧画面ページがある。ユーザが遊技店に対して投稿するＷｅｂページには、及び、図７（ｂ）に示す投稿画面１２１ｈを示す投稿画面ページがある。
【００４１】
図３に示す画面選択画面１２１ａは、遊技店管理者が遊技情報を登録するために必要となる表示画面を表示させる登録画面名項目と、遊技店２００を利用しようとするユーザが遊技情報を閲覧するために必要となる表示画面を表示させる閲覧画面名項目と、ユーザが遊技店２００に対する要望、感想を投稿するとともに、これらの内容を閲覧する電子掲示板１２２に接続させる電子掲示板項目とを有する。更に、登録画面項目には、機種名別登録画面項目、期間別登録画面項目、及び、イベント情報登録画面項目を有している。ここで、閲覧画面項目には、店名別閲覧画面項目、機種別閲覧画面項目、及び、イベント情報閲覧画面項目を有している。
【００４２】
そして、機種名別登録画面項目がクリックされると、機種名別登録画面ページが遊技店端末２０に送信され、遊技店端末２０に機種名別登録画面１２１ｂを表示させる。また、期間別登録画面項目がクリックされると、期間別登録画面ページが遊技店端末２０に送信され、遊技店端末２０に期間別登録画面１２１ｃが表示される。また、イベント情報登録画面項目がクリックされると、イベント情報登録画面ページが遊技店端末２０に送信され、遊技店端末２０にイベント情報登録画面１２１ｄが表示される。また、店名別閲覧画面項目の県名入力欄、市名入力欄が入力され、かつ、送信ボタンとしての設定ボタンがクリックされると、店名別閲覧画面ページがユーザ端末５０に送信され、ユーザ端末５０に店名別閲覧画面１２１ｅが表示される。
【００４３】
また、機種名別閲覧画面項目に有する県名入力欄、市名入力欄及び店名入力欄が入力され、かつ、設定ボタンがクリックされると、機種別閲覧覧画面ページがユーザ端末５０に送信され、ユーザ端末５０に機種別閲覧画面１２１ｆが表示される。また、イベント情報閲覧面項目に有する県名入力欄、市名入力欄及び店名入力欄が入力され、かつ、設定ボタンがクリックされると、イベント情報覧画面ページがユーザ端末５０に送信され、ユーザ端末５０にイベント情報閲覧画面１２１ｇが表示される。また、電子掲示板項目がクリックされると、投稿画面ページがユーザ端末５０に送信され、ユーザ端末５０に投稿画面１２１ｈが表示される。
【００４４】
機種名登録画面１２１ｂは、図４（ａ）に示すように、遊技情報を登録する遊技店管理者に割り当てられたユーザＩＤ及びパスワードが入力される入力欄と、該当する機種名の台数、ボーナス日、空き台情報が入力される入力欄と、これらの情報を送信するための送信ボタンとしの設定ボタンとを有する。
期間別登録画面１２１ｃは、図４（ｂ）に示すように、遊技情報を登録する遊技店管理者に割り当てられたユーザＩＤ及びパスワードが入力される入力欄と、期間としてＭｏｎｔｈｌｙ、Ｗｅｅｋｌｙ、Ｄａｙｌｙについての期間が入力される入力欄と、対象機種名が入力される入力欄と、その内容が入力される入力欄と、これら情報を送信するため送信ボタンとしての設定ボタンとを有する。
【００４５】
イベント情報登録画面１２１ｄは、図５に示すように、遊技情報を登録する遊技店管理者に割り当てられたユーザＩＤ及びパスワードが入力される入力欄と、遊技店がある県名及び市名が入力される県名入力欄、市名入力欄、店名が入力される店名入力欄と、イベント情報が入力されるイベント情報入力欄と、設定ボタンとを有する。店名別閲覧画面１２１ｅは、図６（ａ）に示すように、遊技店２００の所在地として、県名及び市名（地域）が表示される所在地表示欄と、店名が表示される表示欄と、Ｍｏｎｔｈｌｙ、Ｗｅｅｋｌｙ、Ｄａｙｌｙにおけるお客の入り情報を表示する表示欄とを有する。
【００４６】
機種名別閲覧画面１２１ｆは、図６（ｂ）に示すように、遊技店２００の所在地及び店名が表示される表示欄と、機種名が表示される表示欄と、ボーナス日が表示される表示欄と、空き台情報が表示される表示欄とを有する。又、イベント情報閲覧画面１２１ｇは、図７（ｇ）に示すように、遊技店２００の所在地及び店名が表示される表示欄と、イベント情報が表示されるイベント情報表示欄を有する。
【００４７】
投稿画面１２１ｈは、図７（ｈ）に示すように、遊技店２００の所在地を示す県名及び市名、並びに店名が表示される表示欄と、遊技店２０に対する要望、感想等の投稿内容が表示される表示欄を有する。図２に示す電子掲示板１２２には、遊技店２００に対する要望、感想等が掲示される。
【００４８】
遊技情報登録ＤＢ（データベース）１２３は、図８に示すように、遊技店を識別する遊技店識別コードが記述される遊技店識別項目、店名が記述される店名項目、及び、所在地が記述される所在地項目を有する遊技情報登録データを記憶する。
機種名別情報登録ＤＢ１２４は、図９（ａ）に示すように、店名が記述される店名項目、及び、この遊技店２００に設置されている遊技機の機種名が記述される機種名項目、その台数が記述される台数項目、ボーナス日が記述されるボーナス日項目、及び、空き台の情報が記述される空き台情報項目を有する機種名別情報登録データを記憶する。
【００４９】
期間別情報登録ＤＢ１２５は、図９（ｂ）に示すように、店名が記述される店名項目、Ｍｏｎｔｈｌｙ項目、Ｗｅｅｋｌｙ項目、及びＤａｙｌｙ項目を有する期間別情報登録データを記憶する。Ｍｏｎｔｈｌｙ、Ｗｅｅｋｌｙ項目、及びＤａｙｌｙ項目項目のそれぞれには、期間が記述される期間細項目、機種名が記述される機種名細項目、内容が記述される内容細項目を有する。
イベント情報登録ＤＢ１２６は、図１０に示すように、イベント情報を発信する遊技店２００を識別する遊技店識別コードが記述される遊技店コード項目、その店名が記述される店名項目、及び、イベント情報の内容が記述されるイベント情報項目を有するイベント情報登録データを記憶する。
【００５０】
アクセス状況記録ファイル１２７は、図１１（ａ）に示すように、ユーザによって遊技情報が閲覧された遊技店２００を識別する遊技店コードが記述された遊技店コード項目と、遊技店コードを有する遊技店２００に対する遊技情報の閲覧回数（アクセス回数）が記述されたアクセス回数項目とからなるアクセス情報を記憶する。
認証リスト１２８は、図１１（ｂ）に示すように、遊技店２００の遊技店管理者が上述した機種名別情報データ、期間別情報データ、及びイベント情報のそれぞれを、機種名別情報登録ＤＢ１２４、期間別情報登録ＤＢ１２５、及びイベント情報登録ＤＢ１２６に遊技店端末２０を介して登録するに際して、登録を許可する者であるか否かを認証するユーザＩＤ及びパスワード、並びに遊技店コードが記述されている。
【００５１】
図２に示す送受信部１３は、インターネット６０を介して遊技店端末２０から上述した登録データをインターネット６０を介して受信する。また、送受信部１３は、ユーザ端末５０から要求された遊技情報またはイベント情報の閲覧要求を受信し、閲覧要求された遊技情報又はイベント情報を表示させる上述したＷｅｂページをインターネット６０を介してユーザ端末５０に送信する。
【００５２】
次に、本発明に係る遊技情報供給システムの動作を説明する。
ここで、この動作説明に際しては、その内容を、（１）遊技情報及びイベント情報を登録する動作、（２）遊技情報及びイベント情報を閲覧する動作、（３）電子掲示板に投稿する動作、に分けて説明する。
【００５３】
（１）．遊技情報及びイベント情報を登録する動作について
図１２は、遊技情報供給システムにおける遊技情報及びイベント情報を登録する動作を説明するフローチャートである。遊技店管理者の操作により、遊技店端末２０は、ＵＲＬ（Uniform Resource Loccator)に指定された、このシステムが紹介されているホームページの送信要求をインターネット６０を介して専用サーバ１０に送信する（ステップＳ１０）。
【００５４】
専用サーバ１０が遊技店端末２０からホームページの送信要求を受信すると、制御部１１は、記憶部１２に有するＷｅｂページ格納ファイル１２１に記憶されているホームページを読み出し、このホームページをインターネット６０を介して遊技店端末２０に送信する（Ｓステップ２０）。
遊技店端末２０は、ホームページを受信すると、このホームページを解析したのち形成された表示画面を表示装置に表示させる（ステップＳ１１）。次に、遊技店管理者により、ホームページに記載されている、例えば「表示画面選択画面を表示する」と記載された箇所がクリックされると、遊技店端末２０は、その箇所がクリックされたことをインターネット６０を介して専用サーバ２０に送信する（ステップＳ１２）。
【００５５】
専用サーバ１０は、遊技店端末２０から「表示画面選択画面を表示する」と記載された箇所がクリックされたことを受信すると、制御部１１は、記憶部１２に有するＷｅｂページ格納ファイル１２１に記憶されている表示画面選択画面ページを読み出し、このページをインターネット６０を介して遊技店端末２０に送信する（ステップＳ２１）。
【００５６】
遊技店端末２０は、表示画面選択画面ページを受信すると、この表示画面選択画面ページを解析したのち形成された表示画面選択画面１２１ａを表示装置に表示させる（ステップＳ１３）。次に、遊技店管理者により、表示装置に表示されている表示画面選択画面１２１ａに表示されている、機種名別登録画面項目、期間別登録画面項目、及びイベント情報登録画面のうちのいずれかがクリックされると、クリックされた項目をインターネット６０を介して専用サーバ１０に送信する（ステップＳ１４）。
【００５７】
専用サーバ１０がクリックされた項目を遊技店端末２０から受信すると、制御部１１は、記憶部１２に有するＷｅｂページ格納ファイル１２１からクリックされた項目についてのＷｅｂページを読み出す。その後、制御部１１は、読み出したＷｅｂページをインターネット６０を介して遊技店端末２０に送信する（ステップＳ２２）。
【００５８】
すなわち、遊技店端末２０から受信した項目が、機種名別登録画面項目の場合には、制御部１１は、記憶部１２に有するＷｅｂページ格納ファイル１２１から機種名別登録画面ページを読み出し、このページを遊技店端末２０にインターネット６０を介して送信する。期間別登録画面項目の場合には、制御部１１は、同様にして、Ｗｅｂページ格納ファイル１２１から期間別登録画面ページを読み出し、このページを遊技店端末２０にインターネット６０を介して送信する。制御部１１は、遊技店端末２０から受信した項目がイベント情報登録項目の場合には、同様にして、Ｗｅｂページ格納ファイル１２１からイベント情報登録画面ページを読み出し、このページを遊技店端末２０にインターネット６０を介して送信する。
【００５９】
遊技店端末２０は、専用サーバ１０から受信したＷｅｂページを解析したのち、Ｗｅｂページにより解析されて形成された表示画面を表示装置に表示させる（ステップＳ１５）。その後、遊技店管理者は、表示装置に表示された表示画面中の入力欄に登録情報を入力したのち、設定ボタンをクリックすると、遊技店端末２０は、入力欄に入力された入力情報をインターネット６０を介して専用サーバ１０に送信する（ステップＳ１６）。
【００６０】
即ち、専用サーバ１０から送信されてきたＷｅｂページが機種名別登録画面ページである場合には、図４（ａ）に示す機種名別登録画面１２１ｂが表示装置に表示され、その後、遊技店管理者により、この表示画面１２１ｂ中に有する、ユーザＩＤ、パスワード、機種名における台数、ボーナス日、及び空き台情報の各入力欄が入力され、設定ボタンがクリックされると、ユーザＩＤ、パスワード、機種名における台数、ボーナス日、及び空き台情報の各入力欄に入力された情報がインターネット６０を介して専用サーバ１０に送信される。
【００６１】
送信されてきたＷｅｂページが期間別登録画面ページである場合には、図４（ｂ）に示す期間別登録画面１２１ｂが表示装置に表示され、その後、遊技店管理者により、この表示画面１２１ｂ中に有する、ユーザＩＤ、パスワード、Ｍｏｎｔｈｙ、Ｗｅｅｋｌｙ、Ｄａｙｌｙにおける期間、対象機種名、内容の各入力欄が入力され、設定ボタンがクリックされると、ユーザＩＤ、パスワード、Ｍｏｎｔｈｙ、Ｗｅｅｋｌｙ、Ｄａｙｌｙにおける期間、対象機種名、内容の各入力欄に入力された情報がインターネット６０を介して専用サーバ１０に送信される。
【００６２】
送信されてきたＷｅｂページがイベント情報登録画面ページである場合には、図５に示すイベント情報登録画面１２１ｄが表示装置に表示され、その後、遊技店管理者により、この表示画面１２１ｂ中に有する、ユーザＩＤ、パスワード、イベント情報の各入力欄が入力され、設定ボタンがクリックされると、ユーザＩＤ、パスワード、イベント情報の各入力欄に入力された情報がインターネット６０を介して専用サーバ１０に送信される。
【００６３】
専用サーバ１１は、遊技店端末２０から入力情報を受信すると、制御部１１は、入力情報中のユーザＩＤ及びパスワードが記憶部１２に有する認証リスト１２８が登録されているか否かを判定する。制御部１１は、ユーザＩＤ及びパスワードが認証リスト１２８に登録されていないと判定すると、例えば「入力された情報を登録することができません」という情報を遊技店端末２０にインターネット６０を介して送信する。一方、制御部１１は、ユーザＩＤ及びパスワードが認証リスト１２８に登録されていると判定すると、入力情報を基にして登録データを生成し、生成した登録データを該当するデータベースに登録する（ステップＳ２３）。
【００６４】
すなわち、遊技店端末２０から送信されてきた入力情報が機種名別登録画面１２１ｂに入力された入力情報の場合であって、かつ、制御部１１は、ユーザＩＤ及びパスワードが認証リスト１２８に登録されていると判定すると、入力されたユーザＩＤ及びパスワードに対応する遊技店コードを認証リスト１２８から読み出す。制御部１１は、その後、読み出した遊技店コード、及び入力情報を基にして、図９（ａ）に示すように、遊技店コード、機種名、台数、ボーナス日、空き台情報を有する機種名情報データを生成し、このデータを機種名情報登録ＤＢ１２４に登録する。
【００６５】
制御部１１は、遊技店端末２０から送信されてきた入力情報が期間別登録画面１２１ｃに入力された入力情報の場合であって、かつ、制御部１１により、ユーザＩＤ及びパスワードが認証リスト１２８に登録されていると判定すると、同様にして図９（ｂ）に示すように、遊技店コード、Ｍｏｎｔｈｙ、Ｗｅｅｋｌｙ、Ｄａｙｌｙにおける期間、対象機種名、内容を有する期間別情報データを生成し、このデータを期間別情報登録ＤＢ１２５に登録する。
【００６６】
制御部１１は、遊技店端末２０から送信されてきた入力情報がイベント情報登録画面１２１ｄに入力された入力情報の場合であって、かつ、制御部１１により、ユーザＩＤ及びパスワードが認証リスト１２８に登録されていると判定すると、同様にして図１０に示すように、遊技店コード、イベント情報を有するイベント情報データを生成し、このデータをイベント情報登録ＤＢ１２６に登録する（遊技情報を登録する第１の工程）。
【００６７】
その後、専用サーバの制御部１１は、登録が完了した旨を示す情報をインターネット６０を介して遊技店端末２０に送信し（ステップＳ２４）、処理を終了する。
遊技店端末２０は、専用サーバ１０から登録が完了した旨を示す情報を受信すると、この情報を表示装置に表示して（ステップＳ１７）、登録処理を終了する。
【００６８】
（２）．遊技情報及びイベント情報を閲覧する動作について
図１３は、遊技情報供給システムにおける遊技情報及びイベント情報を閲覧する動作を説明するフローチャートである。ユーザの操作により、ユーザ端末５０は、ＵＲＬ（Uniform Resource Loccator)に指定された、このシステムが紹介されているホームページの送信要求をインターネット６０を介して専用サーバ１０に送信する（ステップＳ３０）。
【００６９】
専用サーバ１０がユーザ端末５０からホームページの送信要求を受信すると、制御部１１は、記憶部１２に有するＷｅｂページ格納ファイル１２１に記憶されているホームページを読み出し、このホームページをインターネット６０を介してユーザ端末５０に送信する（Ｓステップ４０）。
ユーザ端末５０は、ホームページを受信すると、このホームページを解析したのち形成された表示画面を表示装置に表示させる（ステップＳ３１）。次に、ユーザにより、ホームページに記載されている、例えば上記「表示画面選択画面を表示する」と記載された箇所がクリックされると、ユーザ端末５０は、その箇所がクリックされたことをインターネット６０を介して専用サーバ２０に送信する（ステップＳ３２）。
【００７０】
専用サーバ１０が、ユーザ端末５０から「表示画面選択画面を表示する」と記載された箇所がクリックされたことを受信すると、制御部１１は、記憶部１２に有するＷｅｂページ格納ファイル１２１に記憶されている画面選択画面ページを読み出し、このページをインターネット６０を介してユーザ端末５０に送信する（ステップＳ４１）。
【００７１】
ユーザ端末５０は、表示画面選択画面ページを受信すると、この表示画面選択画面ページを解析したのち形成された表示画面選択画面１２１ａを表示装置に表示させる（ステップＳ３３）。
次に、ユーザにより、表示装置に表示されている表示画面選択画面１２１ａに表示されている、閲覧画面項目に有する店名別閲覧細項目、及び機器名別閲覧細項目のうちのいずれかの入力項目に入力情報が入力され、その後、設定ボタンがクリックされると、入力情報がインターネット６０を介して専用サーバ１０に送信する（ステップＳ３４）。
【００７２】
専用サーバ１０が入力情報を遊技店端末２０から受信すると、制御部１１は、入力情報に対応したＷｅｂページをＷｅｂページ格納ファイル１２１ａから読み出し、この読み出したＷｅｂページをインターネット６０を介してユーザ端末５０に送信する（ステップＳ４２）。
ここで、受信した入力情報が店名別閲覧画面のものである場合には、制御部１１は、Ｗｅｂページ格納ファイル１２１から店名別閲覧画面ページを読み出す。その後、制御部１１は、読み出した店名別閲覧画面ページをインターネット６０を介してユーザ端末５０に送信する。
【００７３】
受信した入力情報が機種名別閲覧画面のものである場合には、制御部１１は、遊技情報登録ＤＢ１２３を参照し、店名入力欄の入力情報に対応する遊技店コードを遊技情報登録ＤＢ１２３から読み出す。その後、制御部１１は、アクセス状況記録ファイル１２７に記憶されている当該遊技店コードに対応するアクセス回数に１を加算する。次に、制御部１１は、Ｗｅｂページ格納ファイル１２１から機種名別閲覧画面ページを読み出す。その後、制御部１１は、読み出した機種名別閲覧画面ページをインターネット６０を介してユーザ端末５０に送信する。
【００７４】
受信した入力情報がイベント情報閲覧画面のものである場合には、制御部１１は、遊技情報登録ＤＢ１２３を参照し、店名入力欄の入力情報に対応する遊技店コードを遊技情報登録ＤＢ１２３から読み出す。その後、制御部１１は、アクセス状況記録ファイル１２７に記憶されている当該遊技店コードに対応するアクセス回数に１を加算する。次に、制御部１１は、Ｗｅｂページ格納ファイル１２１からイベント情報閲覧画面ページを読み出す。その後、制御部１１は、読み出したイベント情報閲覧画面ページをインターネット６０を介してユーザ端末５０に送信する（遊技情報をユーザ端末に送信する第２の工程）。
【００７５】
ユーザ端末５０は、専用サーバ１０から受信した店名別閲覧画面ページ、機種名別閲覧画面ページ、又は、イベント情報閲覧画面ページを解析したのち、解析されて生成された図６（ａ）に示す店名別閲覧画面１２１ｅ、図６（ｂ）に示す機種名別閲覧画面１２１ｆ、又は図７（ａ）に示すイベント情報閲覧画面１２１ｇを表示装置に表示させる（ステップＳ３５）、処理を終了する。
【００７６】
（３）．電子掲示板に投稿する動作について
図１４は、遊技情報供給システムにおける電子掲示板に投稿する動作を説明するフローチャートである。ユーザの操作により、ユーザ端末５０は、ＵＲＬ（Uniform Resource Loccator)に指定さえた、このシステムが紹介されているホームページの送信要求をインターネット６０を介して専用サーバ１０に送信する（ステップＳ５０）。
【００７７】
専用サーバ１０がユーザ端末５０からホームページの送信要求を受信すると、制御部１１は、記憶部１２に有するＷｅｂページ格納ファイル１２１に記憶されているホームページを読み出し、このホームページをインターネット６０を介してユーザ端末５０に送信する（Ｓステップ６０）。
【００７８】
ユーザ端末５０は、ホームページを受信すると、このホームページを解析したのち形成された表示画面を表示装置に表示させる（ステップＳ５１）。次に、ユーザにより、ホームページに記載されている、例えば上記「表示画面選択画面を表示する」と記載された箇所がクリックされると、ユーザ端末５０は、その箇所がクリックされたことをインターネット６０を介して専用サーバ１０に送信する（ステップＳ５２）。
【００７９】
専用サーバが、ユーザ端末５０から「表示画面選択画面を表示する」と記載された箇所がクリックされたことを受信すると、制御部１１は、記憶部１２に有するＷｅｂページ格納ファイル１２１に記憶されている画面選択画面ページを読み出し、このページをインターネット６０を介してユーザ端末５０に送信する（ステップＳ６１）。
【００８０】
ユーザ端末５０は、表示画面選択画面ページを受信すると、この表示画面選択画面ページを解析したのち形成された表示画面選択画面１２１ａを表示装置に表示させる（ステップＳ５３）。次に、ユーザにより、表示装置に表示されている表示画面選択画面１２１ａに表示されている、電子掲示板項目がクリックされると、ユーザ端末５０は、電子掲示板項目がクリックされたことをインターネット６０を介して専用サーバ１０に送信する（ステップＳ５４）。
【００８１】
専用サーバ１０が電子掲示板項目がクリックされたことを受信すると、ユーザ端末５０から受信すると、制御部１１は、Ｗｅｂページ格納ファイル１２１から電子掲示板に投稿するためのＷｅｂページを読み出す。その後、制御部１１は、読み出した投稿用のＷｅｂページをインターネット６０を介してユーザ端末５０に送信する（ステップＳ６２）。
【００８２】
ユーザ店端末５０は、専用サーバ１０から受信した投稿用のＷｅｂページを解析したのち、Ｗｅｂページにより解析されて形成された電子掲示板に投稿するための図７（ｂ）に示す投稿画面を表示装置に表示させる（ステップＳ５５）。その後、ユーザにより、図７（ｂ）に示すように、遊技店２００に対する要望、感想等が表示画面に入力され、送信ボタンとしての「ＯＫ」ボタンがクリックされると、ユーザ端末５０は、入力された情報をインターネット６０を介して、専用サーバ１０に送信し（ステップＳ５６）、処理を終了する（他のユーザからの検索および閲覧が可能に掲示する第３の工程）。
専用サーバ１０は、入力された入力情報を電子掲示板１２２に掲示し（ステップＳ６３）、処理を終了する。
【００８３】
ここで、上述した実施形態にあって、ユーザに利用される遊技場（遊技店）に設置されている遊技台の遊技の内容を示す遊技情報をユーザ端末にインターネットを介して供給する手順については、前記遊技場（遊技店）に設置されている遊技場端末から受信した前記遊技情報を遊技情報記憶手段に登録する機能と、遊技場を利用しようとするユーザ端末から前記インターネットを介して受信した前記遊技情報の閲覧要求に対して、前記遊技情報憶手段から前記閲覧要求された前記遊技情報を前記ユーザ端末に前記インターネットを介して送信する機能と、前記ユーザ端末から前記インターネットを介して受信した遊技場に対する要望や感想等の投稿内容を他のユーザから検索および閲覧が可能に予め装備した投稿内容掲示手段に掲示する手順とをプログラム化して、これをコンピュータに実行させるように構成してもよい。
【００８４】
このようにすると、遊技情報が閲覧要求したユーザ端末に送信されるので、遊技情報をインターネットを介して不特定多数のユーザに提供することができる。また、この構成によれば、ユーザ端末から受信した遊技場に対する要望、感想等の投稿内容が他のユーザから閲覧可能に掲示されるので、ユーザが希望するサービス内容を知ることができる。
【００８５】
以上のように、この実施形態によれば、専用サーバ１０には遊技店２００の遊技情報及びイベント情報  をユーザに提供するためのＷｅｂページを格納するＷｅｂ格納ファイル１２１を有し、専用サーバ１０が遊技店端末２０からインターネット６０を介して送信されてきた遊技情報及びイベント情報を機種別情報登録ＤＢ１２４、期間別情報登録ＤＢ１２５、及びイベント情報登録ＤＢ１２６に登録・変更するので、Ｗｅｂページを操作する専門技術者の必要性をなくすことができる。
【００８６】
また、この実施形態によれば、専用サーバ１０に有する機種別情報登録ＤＢ１２４、期間別情報登録ＤＢ１２５、及びイベント情報登録ＤＢ１２６に遊技情報、及びイベント情報が登録されているので、これらの情報を用いて、遊技店２００の遊技情報及びイベント情報をインターネット６０を介して不特定多数のユーザに提供することができるとともに、他の遊技店における遊技情報及びイベント情報を知ることができる。
【００８７】
更に、この実施形態によれば、専用サーバ１０に有する電子掲示板１２２にユーザからの遊技店２００に対する要望、感想等が掲示されるので、この情報を参照することで、遊技店２００では集客効果が見込めるユーザに対するサービスの向上を図ることができるとともに、ユーザにとって遊技店２００を選択するための基準を得ることができる。
【００８８】
又、この実施形態によれば、専用サーバ１０に有すアクセス状況記録ファイル１２７が遊技情報及びイベント情報についてユーザ端末５０からの閲覧要求された回数を遊技店２００ごとに記憶しており、専用サーバ１０が、この回数を遊技店２００に割り当てられるシステム使用を算出する情報として、インターネット６０を介してシステム使用料請求サーバ３０に送信するので、各遊技店２００からこのこのシステムの使用料を請求することができる。
【００８９】
以上のように、本発明では、上述した実施形態からも明らかのように、専用サーバ１０にデータベースを集約し、遊技施設側である遊技場（遊技店）においては、ホームページを操作する専門の技術を有することなく、専用サーバ１０にアクセスして必要最低限な情報の登録で集客の為の遊技施設情報、遊技台情報、イベント情報、等の登録を行うことがきりるようにした。そして、この専用サーバ１０においては、系列遊技施設毎、市町村レベルの地域毎、イベント開催有無等に分類して、遊技場（遊技店）側が登録したイベント情報を提供し、遊技者側においては、専用サーバにアクセスし、遊技場（遊技店）側が登録した遊技施設情報、遊技台情報、イベント情報を自由に閲覧・吟味して、遊技施設を選択出来る事を特徴とする。
【００９０】
又、専用サーバ１０では各遊技施設毎にユーザである遊技者からの投稿欄を用意し、遊技者はこの投稿欄に各遊技施設への要望や感想を投稿出来ると共に、他の遊技者が投稿した内容を閲覧する事が出来る様にした事で、遊技者が各遊技施設を選択する際の一助とする事が出来る。各遊技場（遊技店）側は、遊技者からの投稿内容を吟味し、遊技者が望む事を把握する事で集客率の向上を図る為の施策を検討／実行する事が出来る事を特徴とする。
【００９１】
このため、上述した本発明にあっては遊技場（遊技店）２００側では以下に示す作用効果を得ることができる。
（１）ホームページを操作する専門の技術を有することなく、専用サーバ１０にアクセスして必要最低限な情報の登録で集客の為の施設情報、遊技台情報、イベント情報の登録を行い、施設の宣伝を行う事が出来る。
（２）遊技場（遊技店）２００側では、容易にリアルタイムでの遊技施設情報、遊技台情報、イベント情報を提供する事が可能となり、従来では獲得出来なかったユーザー（他施設で遊技中の遊技者等）を集客する事が可能となる。
（３）他施設でのイベント状況を見ながら、リアルタイムで自施設のイベント情報を変更、更新する事が出来る。
（４）．登録ユーザの様な囲い込まれたユーザだけでなく、不特定多数の遊技を行う意志のあるユーザに対して、効果的な宣伝を行う事が出来る。
（５）．更に、遊技施設２００側では、紙媒体での広告の様な、遊技する意志の無いユーザに対するばらまき的な宣伝・広告ではなく、不特定多数の遊技を行う意志のあるユーザに対して、効果的な宣伝を行う事が出来る。
【００９２】
又、上述した本発明にあっては、遊技者（ユーザ）側は、以下に示す利点を得ることができる。
（１）．遊技者（ユーザ）側は、インターネットに接続して情報を閲覧出来る手段を有すれば、自分が知りたい地域の遊戯施設の遊技台情報、イベント情報等から、遊技する施設を自由に選択出来る。
（２）．遊技者（ユーザ）側は、インターネットに接続して情報を閲覧出来る手段を有すれば、自分が知りたい時に、リアルタイムで変化する遊戯施設の遊技台情報、イベント情報等から、遊技する施設を自由に選択出来る。
（３）．遊技者（ユーザ）側は、インターネットに接続して情報を発信／閲覧出来る手段を有すれば、遊戯施設に対する要望や感想を、遊戯施設毎に用意される投稿欄に投稿し、遊戯施設に対してサービスの向上を求める事が出来る。
（４）．遊技者（ユーザ）側は、インターネットに接続して情報を閲覧出来る手段を有すれば、他の遊技者が、遊戯施設に対して投稿した要望や感想を閲覧する事が出来る事で、遊戯施設を選択する一助とする事が出来る。
（５）．遊技者（ユーザ）側は、遊技者（ユーザ）が投稿した要望、感想を閲覧、吟味する事で、遊技者が求める物を把握して、より集客効果のあるサービスや、情報発信を行う為の一助とする事が出来る。
【産業上の利用可能性】
【００９３】
スーパーマーケット等の大型小売り店においても、同様のシステムで、タイムセール等の販売情報をリアルタイムで配信する事で、集客効果を高める事が出来る。
【図面の簡単な説明】
【００９４】
【図１】本発明に実施形態の構成を示すブロック図である。
【図２】図１中に於ける専用サーバの構成を示すブロック図である。
【図３】表示画面用の選択画面の一例を示す説明図である。
【図４】登録画面の例を示す図で、図４（ａ）は機種名別登録画面の一例を示す説明図、図４（ｂ）は期間別登録画面の一例を示す説明図である。
【図５】イベント情報登録画面の一例を示す説明図である。
【図６】閲覧画面の例を示す図で、図６（ａ）は店名別閲覧画面の一例を示す説明図、図６（ｂ）は機種名別閲覧画面の一例を示す説明図である。
【図７】閲覧画面および投稿画面の一例を示す図で、図７（ａ）はイベント情報閲覧画面の一例を示す説明図、図７（ｂ）は投稿画面の一例を示す説明図である。
【図８】図２中の遊技情報登録ＤＢに記憶されている遊技情報データの一例を示す説明図である。
【図９】機種別又は期間別の登録ＤＢに記憶されている情報の例で、図９（ａ）は図２中の機種名別情報登録ＤＢに記憶されている機種名別情報データの一例を示す説明図、図９（ｂ）は図２（有）の期間別情報登録ＤＢに記憶されている期間別情報データの一例を示す説明図である。
【図１０】図２中のイベント情報登録ＤＢに記憶されているイベント情報の一例を示す説明図である。
【図１１】アクセス情報又は認証情報の例を示す図で、図１１（ａ）は図２中のアクセス状況記憶ファイルに記憶されているアクセス情報の一例を示す説明図、図１１（ｂ）は図２中における認証リストに記憶されている認証情報の一例を示す説明図である。
【図１２】本発明に係る実施形態における遊技情報及びイベント情報を登録する動作を説明するフローチャートである。
【図１３】本発明に係る実施形態におけるにおける遊技情報及びイベント情報を閲覧する動作を説明するフローチャートである。
【図１４】本発明に係る実施形態における電子掲示板に投稿する動作を説明するフローチャートである。
【符号の説明】
【００９５】
１０  専用サーバ
１１  制御部
１１ａ  遊技情報登録手段
１１ｂ  遊技情報供給手段
１１ｃ  投稿内容掲示手段
１１ｄ  イベント情報登録手段
１１ｅ  イベント情報送信手段
１１ｆ  加算手段
１１ｇ  使用料算出情報送信手段
１２  記憶部
１３  送受信部
２０  遊技場端末としての遊技店端末
３０  システム使用料請求サーバ
４０  代理店端末
５０  ユーザ端末
６０  インターネット
１２１  Ｗｅｂページ格納ファイル
１２２ｂ  電子掲示板
１２３  遊技情報登録ＤＢ
１２４  機種名別情報登録ＤＢ
１２５  期間別情報登録ＤＢ
１２６  イベント情報登録ＤＢ
１２７  アクセス情報記録ファイル
１２８  認証リスト
２００  遊技場としての遊技店
４００  代理店
【図１】
2007267959.tif 000003
【図２】
2007267959.tif 000004
【図３】
2007267959.tif 000005
【図４】
2007267959.tif 000006
【図５】
2007267959.tif 000007
【図６】
2007267959.tif 000008
【図７】
2007267959.tif 000009
【図８】
2007267959.tif 000010
【図９】
2007267959.tif 000011
【図１０】
2007267959.tif 000012
【図１１】
2007267959.tif 000013
【図１２】
2007267959.tif 000014
【図１３】
2007267959.tif 000015
【図１４】
2007267959.tif 000016